(57)【要約】      （修正有）【課題】排泄された大便が着用者の股間部や臀部に付着することはなく、大便による着用者の肌の汚れを防ぐことができる使い捨て着用物品を提供する。【解決手段】着用物品２０は、股下域２２の第２前半分４９に位置して防漏シート３３の可動部３９に収縮可能に取り付けられた伸縮性第１バンド４４と、股下域２２の第２後半分５５に位置して可動部３９に収縮可能に取り付けられた伸縮性第２バンド４５とを有する。物品２０では、第１バンド４４から縦方向前方へ延びる可動部３９の頂点４２ａどうしの離間寸法がバンド４４から前胴周り域２１に向かうにつれて次第に大きくなり、頂点４２ａどうしの最大離間寸法がコア３０の最小横寸法の２７〜１２０％の範囲にあり、第１バンド４４から縦方向後方へ延びる可動部３９の頂点４２ｂどうしの最大離間寸法がコア３０の最小横寸法の１〜２５％の範囲にある。【選択図】図１
2006174966.tif 000002
【特許請求の範囲】
【請求項１】
前胴周り域および後胴周り域と、それら胴周り域の間に位置する股下域と、横方向へ延びる両端部および縦方向へ延びる両側部とを有し、横方向へ所定寸法離間して縦方向へ延びる一対の液抵抗性防漏シートが前記前後胴周り域と前記股下域とのうちの少なくとも該股下域の肌当接面に配置され、前記防漏シートが、前記両側部に位置して縦方向へ延びる固定側部と、前記固定側部に並行して縦方向へ延びていて前記肌当接面の上方へ起立性向を有する伸縮性可動部と、前記可動部の縦方向両側に位置して横方向へ倒伏した固定前後端部とから形成された使い捨て着用物品において、
前記防漏シートの可動部に取り付けられて該可動部どうしを横方向へ引き寄せる第１バンドが、前記股下域の縦寸法を二分して該股下域を前記前胴周り域の側に位置する前半分と前記後胴周り域の側に位置する後半分とに区画したときの該前半分に配置され、
前記第１バンドから縦方向前方へ延びる前記可動部の第１頂点どうしの離間寸法が、該第１バンドから前記前胴周り域に向かうにつれて次第に大きくなり、前記第１頂点どうしの最大離間寸法が、前記第１バンドから縦方向後方へ延びる前記可動部の第２頂点どうしの最大離間寸法よりも大きいことを特徴とする前記着用物品。
【請求項２】
前記第１バンドが、前記股下域の前半分の縦寸法を二分して該前半分を前記前胴周り域の側に位置する第１前半分と前記後半分の側に位置する第２前半分とに区画したときの該第２前半分に配置されている請求項１記載の着用物品。
【請求項３】
体液を吸収保持する吸液性コアが、前記前後胴周り域と前記股下域とのうちの少なくとも該股下域の肌当接面と肌非当接面との間に配置され、前記第１頂点どうしの最大離間寸法が、前記股下域に延びる前記コアの最小横寸法の２６〜１２０％の範囲にあり、前記第２頂点どうしの最大離間寸法が、前記股下域に延びる前記コアの最小横寸法の１〜２５％の範囲にある請求項１または請求項２に記載の着用物品。
【請求項４】
前記第１バンドが、横方向へ弾性的な伸縮性を有して前記防漏シートの可動部に伸縮可能に取り付けられている請求項１ないし請求項３いずれかに記載の着用物品。
【請求項５】
前記防漏シートの可動部に取り付けられて該可動部どうしを横方向へ引き寄せる第２バンドが、前記股下域の後半分の縦寸法を二分して該後半分を前記前半分の側に位置する第１後半分と前記後胴周り域の側に位置する第２後半分とに区画したときの該第２後半分に配置されている請求項１ないし請求項４いずれかに記載の着用物品。
【請求項６】
前記第２バンドが、横方向へ弾性的な伸縮性を有して前記防漏シートの可動部に伸縮可能に取り付けられている請求項５記載の着用物品。
【請求項７】
前記防漏シートの固定前端部が、横方向外方へ倒伏した状態で肌当接面に接合され、前記防漏シートの固定後端部が、横方向内方へ倒伏した状態で肌当接面に接合されている請求項１ないし請求項６いずれかに記載の着用物品。
【請求項８】
前記可動部の第２頂点どうしの離間寸法が、前記第１バンドから前記後胴周り域に向かうにつれて次第に小さくなっている請求項１ないし請求項７いずれかに記載の着用物品。
【発明の詳細な説明】
【技術分野】
【０００１】
本発明は、尿や大便を吸収保持する使い捨て着用物品に関する。
【背景技術】
【０００２】
透液性表面シートおよび不透液性裏面シートと、それらシートの間に介在する吸液性コアとから形成され、縦方向に前胴周り域および後胴周り域と、それら胴周り域の間に位置する股下域とを有し、横方向へ所定寸法離間して縦方向へ延びる一対の液抵抗性防漏シートと縦方向へ所定寸法離間して横方向へ延びる一対の液抵抗性仕切シートとが取り付けられた使い捨ておむつがある（特許文献１参照）。
【０００３】
防漏シートは、おむつの両側部に接合されて縦方向へ延びる固定側部と、固定側部に並行して縦方向へ延びていて表面シートの上方へ起立性向を有する可動部と、横方向内方へ倒伏して前後胴周り域に接合された固定前後端部とから形成されている。可動部の頂点には、縦方向へ延びる伸縮性弾性部材が伸縮可能に取り付けられている。防漏シートの可動部は、尿や大便の横方向への流動を阻止する障壁を形成し、尿や大便が両側部からおむつの外側に漏れてしまうことを防止する。仕切シートは、股下域の縦方向中央に配置され、表面シートに固定された固定端部と、固定端部の上方に位置して両側が防漏シートの可動部に固定された自由部とを有する。自由部の頂点には、横方向へ延びる伸縮性弾性部材が伸縮可能に取り付けられている。仕切シートの自由部は、防漏シートの可動部の起立にともなって表面シートの上方へ起立し、前胴周り域から後胴周り域への尿の流動や後胴周り域から前胴周り域への大便の流動を阻止する障壁を形成する。
【特許文献１】特開平８−３２２８７８号公報
【発明の開示】
【発明が解決しようとする課題】
【０００４】
特許文献１に開示のおむつでは、防漏シートの可動部が大便の両側部への流動を阻止する障壁として機能したとしても、可動部が排泄された大便をその上方から包被することはないから、おむつに排泄された大便がそれら防漏シートの間から露出し、大便が着用者の股間部や臀部に容易に接触してしまう。排泄された大便が着用者の股間部や臀部に接触すると、大便が股間部や臀部に付着し、おむつに保持されるべき大便によって着用者の肌が広範囲に汚れてしまう場合がある。
【０００５】
本発明の目的は、排泄された大便が着用者の股間部や臀部に付着することはなく、大便による着用者の肌の汚れを防ぐことができる使い捨て着用物品を提供することにある。
【課題を解決するための手段】
【０００６】
前記課題を解決するための本発明の前提は、前胴周り域および後胴周り域と、それら胴周り域の間に位置する股下域と、横方向へ延びる両端部および縦方向へ延びる両側部とを有し、横方向へ所定寸法離間して縦方向へ延びる一対の液抵抗性防漏シートが前後胴周り域と股下域とのうちの少なくとも該股下域の肌当接面に配置され、防漏シートが、両側部に位置して縦方向へ延びる固定側部と、固定側部に並行して縦方向へ延びていて肌当接面の上方へ起立性向を有する伸縮性可動部と、可動部の縦方向両側に位置して横方向へ倒伏した固定前後端部とから形成された使い捨て着用物品である。
【０００７】
前記前提における本発明の特徴は、防漏シートの可動部に取り付けられて該可動部どうしを横方向へ引き寄せる第１バンドが、股下域の縦寸法を二分して該股下域を前胴周り域の側に位置する前半分と後胴周り域の側に位置する後半分とに区画したときの該前半分に配置され、第１バンドから縦方向前方へ延びる可動部の第１頂点どうしの離間寸法が、該第１バンドから前胴周り域に向かうにつれて次第に大きくなり、第１頂点どうしの最大離間寸法が、第１バンドから縦方向後方へ延びる可動部の第２頂点どうしの最大離間寸法よりも大きいことにある。物品は、第１バンドから縦方向後方へ延びる防漏シートの可動部の第２頂点が着用者の股間部の付け根に近接または当接するとともに、着用者の臀部の割れ目に入って肛門の両側に近接または当接する。物品では、その着用中に排泄された大便が防漏シートの可動部の第２頂点間を通って可動部と肌当接面との間に形成された大便収容空間に納まり、可動部が大便をその上方から包被する。防漏シートの可動部の間に排泄された尿は、肌当接面を透過してコアに吸収保持される。
【０００８】
本発明の実施態様の一例は、第１バンドが股下域の前半分の縦寸法を二分して該前半分を前胴周り域の側に位置する第１前半分と後半分の側に位置する第２前半分とに区画したときの該第２前半分に配置されている。
【０００９】
本発明の実施態様の他の一例は、体液を吸収保持する吸液性コアが前後胴周り域と股下域とのうちの少なくとも該股下域の肌当接面と肌非当接面との間に配置され、第１頂点どうしの最大離間寸法が股下域に延びるコアの最小横寸法の２６〜１２０％の範囲にあり、第２頂点どうしの最大離間寸法が股下域に延びる前記コアの最小横寸法の１〜２５％の範囲にある。
【００１０】
本発明の実施態様の他の一例は、第１バンドが横方向へ弾性的な伸縮性を有して防漏シートの可動部に伸縮可能に取り付けられている。
【００１１】
本発明の実施態様の他の一例は、防漏シートの可動部に取り付けられて該可動部どうしを横方向へ引き寄せる第２バンドが股下域の後半分の縦寸法を二分して該後半分を前半分の側に位置する第１後半分と後胴周り域の側に位置する第２後半分とに区画したときの該第２後半分に配置されている。
【００１２】
本発明の実施態様の他の一例は、第２バンドが横方向へ弾性的な伸縮性を有して防漏シートの可動部に伸縮可能に取り付けられている。
【００１３】
本発明の実施態様の他の一例は、防漏シートの固定前端部が横方向外方へ倒伏した状態で肌当接面に接合され、防漏シートの固定後端部が横方向内方へ倒伏した状態で肌当接面に接合されている。
【００１４】
本発明の実施態様の他の一例は、可動部の第２頂点どうしの離間寸法が第１バンドから後胴周り域に向かうにつれて次第に小さくなっている。
【発明の効果】
【００１５】
本発明に係る使い捨て着用物品によれば、第１バンドの後方において可動部と肌当接面との間に大便が納まる大便収容空間が形成され、物品の着用中に排泄された大便が第１バンドから縦方向後方へ延びる防漏シートの可動部の第２頂点間を通って大便収容空間に納まる。物品は、第１バンドから縦方向後方へ延びる防漏シートの可動部が排泄された大便をその上方から包被し、大便が大便収容空間に閉じ込められるから、大便が防漏シートの間から露出することはなく、着用者の股間部や臀部に対する大便の付着を防ぐことができ、大便による着用者の肌の汚れを防ぐことができる。この物品は、第１バンドから縦方向前方へ延びる防漏シートの可動部の第１頂点どうしの離間寸法が第１バンドから前胴周り域に向かうにつれて次第に大きくなり、排泄された尿の横方向への流動が第１バンドから縦方向前方へ延びる防漏シートの可動部によって阻止されるから、両側部からの尿の漏れを防ぐことができる。
【００１６】
第１バンドが股下域の前半分のうちの第２前半分に配置された着用物品は、第１バンドから縦方向後方へ延びる防漏シートの可動部が排泄された大便をその上方から確実に包被し、大便が大便収容空間に閉じ込められるから、大便が防漏シートの間から露出することはなく、着用者の股間部や臀部に対する大便の付着を防ぐことができ、大便による着用者の肌の汚れを確実に防ぐことができる。また、股下域の前半分のうちの第１前半分では排泄された尿の横方向への流動が防漏シートの可動部によって阻止されるから、物品の両側部からの尿の漏れを防ぐことができる。
【００１７】
第１頂点どうしの最大離間寸法が股下域に延びるコアの最小横寸法の２６〜１２０％の範囲にあり、第２頂点どうしの最大離間寸法が股下域に延びる前記コアの最小横寸法の１〜２５％の範囲にある着用物品は、第１バンドから縦方向後方延びる防漏シートの可動部が排泄された大便をその上方から確実に包被するから、大便が防漏シートの間から露出することはなく、大便による着用者の肌の汚れを確実に防ぐことができる。この物品は、排泄された尿の横方向への流動が第１バンドから縦方向前方へ延びる防漏シートの可動部によって阻止されるから、両側部からの尿の漏れを確実に防ぐことができる。
【００１８】
第１バンドが横方向へ弾性的な伸縮性を有して防漏シートの可動部に伸縮可能に取り付けられた着用物品は、その着用中に着用者の動作によって防漏シートの可動部が横方向へ動こうとしても、第１バンドの収縮力が可動部の第２頂点どうしを股下域の横方向中央に常に位置させるように作用し、可動部の動きが第１バンドの収縮力によって抑制されるから、可動部がずれ動くことはなく、股間部の付け根や肛門の両側に対する可動部の第２頂点の近接または当接状態を維持することができる。この物品は、第１バンドから縦方向後方へ延びる防漏シートの可動部が物品の着用中にずれ動くことがないので、大便が可動部の第２頂点間を通って大便収容空間に確実に収容される。
【００１９】
防漏シートの可動部どうしを横方向へ引き寄せる第２バンドが股下域の第２後半分に配置された着用物品は、第１バンドから縦方向後方へ延びる防漏シートの可動部の動きが第２バンドによって抑制され、物品の着用中に着用者の動作が可動部に伝わったとしても、可動部がずれ動くことはなく、股間部の付け根や肛門の両側に対する可動部の第２頂点の近接または当接状態を確実に維持することができる。この物品は、第１バンドから縦方向後方へ延びる防漏シートの可動部が物品の着用中にずれ動くことがないので、大便が可動部の第２頂点間を通って大便収容空間に確実に収容される。
【００２０】
第２バンドが横方向へ弾性的な伸縮性を有して防漏シートの可動部に伸縮可能に取り付けられた着用物品は、その着用中に着用者の動作によって防漏シートの可動部が横方向へ動こうとしても、第２バンドの収縮力が可動部の第２頂点どうしを股下域の横方向中央に常に位置させるように作用し、可動部の動きが第２バンドの収縮力によって抑制されるから、可動部がずれ動くことはなく、股間部の付け根や肛門の両側に対する可動部の第２頂点の近接または当接状態を維持することができる。この物品は、第１バンドから縦方向後方へ延びる防漏シートの可動部が物品の着用中にずれ動くことがないので、大便が可動部の第２頂点間を通って大便収容空間に確実に収容される。
【００２１】
防漏シートの固定前端部が横方向外方へ倒伏した状態で肌当接面に固定され、防漏シートの固定後端部が横方向内方へ倒伏した状態で肌当接面に固定された着用物品は、第１バンドから縦方向前方へ延びる防漏シートの可動部の第１頂点どうしの離間寸法を第１バンドから前胴周り域に向かうにつれて次第に大きくすることができ、尿が防漏シートの可動部の外側に排泄されることはなく、排泄された尿の横方向への流動が可動部によって阻止され、両側部からの尿の漏れを防ぐことができる。
【００２２】
可動部の第２頂点どうしの離間寸法が第１バンドから後胴周り域に向かうにつれて次第に小さくなる着用物品は、第１バンドから縦方向後方へ延びる防漏シートの可動部が排泄された大便をその上方から確実に包被し、大便が大便収容空間に閉じ込められるから、排泄された大便が防漏シートの間から露出することはなく、大便と着用者の股間部や臀部との接触を防ぐことができ、大便による着用者の肌の汚れを確実に防ぐことができる。
【発明を実施するための最良の形態】
【００２３】
添付の図面を参照し、本発明に係る使い捨て着用物品の詳細を説明すると、以下のとおりである。
【００２４】
図１，２は、一例として示す着用物品２０の斜視図と、股下域２２の一部を省略して示す図１の２−２線矢視断面図とであり、図３，４は、図１の３−３線端面図と、図１の４−４線端面図とである。図５は、図１の５−５線端面図である。図１では、横方向を矢印Ｌで示し、縦方向を矢印Ｍで示す。なお、表面シート２８や裏面シート２９、防漏シート３３の内面とは、コア３０に対向する面をいい、それらシート２８，２９，３３の外面とは、コア３０に非対向の面をいう。
【００２５】
物品２０は、縦方向に前胴周り域２１および後胴周り域２３と、それら胴周り域２１，２３の間に位置する股下域２２とを有し、前後胴周り域２１，２３に横方向へ延びる両端部２４と、前後胴周り域２１，２３間に縦方向へ延びる両側部２５とを有する。物品２０は、着用者の肌に対向する肌当接面２６と、着用者の肌に非対向の肌非当接面２７とを有する。物品２０は、肌当接側に位置する透液性表面シート２８と、肌非当接側に位置する不透液性裏面シート２９と、それらシート２８，２９の間（肌当接面２６と肌非当接面２７との間）に介在して前後胴周り域２１，２３および股下域２２に配置された吸液性コア３０とから形成されている。股下域２２の両側部２５は、横方向内方へ向かって弧を画いている。物品２０は、図１に示すように、その平面形状が砂時計型である。この物品２０は、着用時に前後胴周り域２１，２３を連結するオープン型である。
【００２６】
両端部２４には、横方向へ延びる複数条の胴周り用弾性部材３１が伸縮可能に取り付けられている。両側部２５には、縦方向へ延びる複数条の脚周り用弾性部材３２が伸縮可能に取り付けられている。両側部２５には、横方向へ離間対向して前後胴周り域２１，２３間に延びる一対の液抵抗性防漏シート３３が取り付けられている。表面シート２８には、親水性繊維不織布３４が使用されている。裏面シート２９には、互いに重なり合う２枚の疎水性繊維不織布３５，３６をラミネートした複合不織布が使用されている。コア３０は、粒子状や繊維状の高吸収性ポリマーとフラッフパルプとの混合物、または、粒子状や繊維状の高吸収性ポリマーとフラッフパルプと熱可塑性合成樹脂繊維との混合物であり、所定の厚みに圧縮されている。ゆえに、コア３０は、その剛性が表裏面シート２８，２９のそれよりも高い。コア３０は、その型崩れやポリマーの脱落を防止するため、全体がティッシュペーパー（図示せず）に包被されている。コア３０は、ティッシュペーパーを介して表裏面シート２８，２９の内面に接合されている。ポリマーには、デンプン系、セルロース系、合成ポリマー系のそれが使用されている。物品２０では、表面シート２８の外面と防漏シート３３の外面とが肌当接面２６を形成し、裏面シート２９の外面が肌非当接面２７を形成している。
【００２７】
防漏シート３３には、疎水性繊維不織布３７が使用されている。防漏シート３３は、両側部２５に位置して縦方向へ延びる固定側部３８と、固定側部３８に並行して縦方向へ延びていて表面シート２８の上方へ起立性向を有する伸縮性可動部３９と、可動部３９の縦方向両側に位置する固定前後端部４０，４１とから形成されている。可動部３９の頂点４２には、縦方向へ延びる伸縮性弾性部材４３が伸縮可能に取り付けられている。弾性部材４３は、縦方向へ所定の倍率に伸長させた状態で可動部３９に接合されている。固定前端部４０は物品２０の横方向外方へ倒伏し、固定後端部４１は物品２０の横方向内方へ倒伏している。防漏シート３３には、可動部３９どうしを横方向へ引き寄せる帯状の第１バンド４４と矩形の第２バンド４５とが伸縮可能に取り付けられている。防漏シート３３では、物品２０が肌当接面２６を内側にして縦方向へ湾曲すると、弾性部材４３が収縮して可動部３９が表面シート２８の外面（物品２０の肌当接面２６）から上方へ起立し、可動部３９が尿や大便の横方向への流動を阻止する障壁を形成する。
【００２８】
第１バンド４４は、互いに離間対向する防漏シート３３の可動部３９の間に位置して横方向へ延びている。第１バンド４４は、股下域２２の縦寸法を二等分して股下域２２を前胴周り域２１の側に位置する前半分４６と後胴周り域２３の側に位置する後半分４７とに区画したときの該前半分４６であって、さらに、前半分４６の縦寸法を二等分して該前半分４６を前胴周り域２１の側に位置する第１前半分４８と後半分４７の側に位置する第２前半分４９とに区画したときの該第２前半分４９に配置されている。すなわち、第１バンド４４は、股下域２２の縦寸法を四等分して股下域２２を前胴周り域２１の側から後胴周り域２３の側に向かって並ぶ第１部位（第１前半分４８に相当）〜第４部位（後記する第２後半分５５に相当）に区画したときの該第２部位（第２前半分４９に相当）に配置されている。
【００２９】
第１バンド４４は、疎水性または親水性の繊維不織布５０と、不織布５０に伸縮可能に取り付けられた複数条の伸縮性弾性部材５１とから形成されている。弾性部材５１は、可動部３９の間に位置して横方向へ延びている。弾性部材５１は、横方向へ所定の倍率に伸長させた状態で不織布５０に接合されている。ゆえに、第１バンド４４は、横方向へ弾性的な伸縮性を有する。バンド４４は、可動部３９の頂点４２近傍に接合された固定両端部５２と、固定両端部５２の間に延びていて表面シート２８や防漏シート３３に非接合の自由中間部５３とを有する。可動部３９に対する固定両端部５２の接合時では、第１バンド４４を横方向へ所定の倍率に伸長させた状態にある。
【００３０】
第２バンド４５は、互いに離間対向する防漏シート３３の可動部３９の間と固定後端部４１の間とに位置して横方向へ延びている。第２バンド４５は、股下域２２の後半分４７の縦寸法を二等分して該後半分４７を前半分４６の側に位置する第１後半分５４と後胴周り域２３の側に位置する第２後半分５５とに区画したときの該第２後半分５５に配置されている。すなわち、第２バンド４５は、股下域２２の縦寸法を四等分して股下域２２を前胴周り域２１の側から後胴周り域２３の側に向かって並ぶ第１部位（第１前半分４８）〜第４部位（第２後半分５５）に区画したときの該第４部位（第２後半分５５）に配置されている。
【００３１】
第２バンド４５は、疎水性または親水性の繊維不織布５６と、不織布５６に伸縮可能に取り付けられた複数条の伸縮性弾性部材５７とから形成されている。弾性部材５７は、可動部３９の間に位置して横方向へ延びている。弾性部材５７は、横方向へ所定の倍率に伸長させた状態で不織布５６に接合されている。ゆえに、第２バンド４５は、可動部３９の間に位置する部分が横方向へ弾性的な伸縮性を有する。バンド４５は、固定側部３８および可動部３９に接合された固定両端部５８と、固定両端部５８の間に延びていて表面シート２８や防漏シート３３に非接合の自由中間部５９とを有する。可動部３９に対する固定両端部５８の接合時では、第２バンド４５を横方向へ所定の倍率に伸長させた状態にある。固定後端部４１の間に延びる第２バンド４５の部分は、表面シート２８の外面と防漏シート３３の内面とに接合されている。
【００３２】
第１バンド４４から縦方向前方へ延びる可動部３９の頂点４２ａ（第１頂点）どうしは、横方向へ所定寸法離間するとともに、それらの離間寸法が第１バンド４４から前胴周り域２１に向かうにつれて次第に大きくなっている。第１バンド４４から縦方向後方へ延びる可動部３９の頂点４２ｂ（第２頂点）どうしは、横方向へ所定寸法離間するとともに、第１バンド４４から後胴周り域２３に向かうにつれて互いの離間寸法が次第に小さくなっている。第１バンド４４から縦方向後方へ延びる防漏シート３３の可動部と表面シート２８との間には、排泄された大便が納まる大便収容空間６０が形成されている。表面シート２８と第２バンド４５との間には、後胴周り域２３から股下域２２の縦方向中央に向かって口を開けるポケット６１が形成されている。
【００３３】
両端部２４は、コア３０の端縁６２から縦方向外方へ延びる表裏面シート２８，２９の端部６３，６４と防漏シート３３の端部４０，４１とから形成されている。両端部２４では、表裏面シート２８，２９の端部６３，６４が互いに重なり合った状態で、それらシート２８，２９の内面どうしが接合されている。防漏シート３３の固定前端部４０は、前胴周り域２１に位置し、横方向外側へ倒伏した状態で固定側部３８に接合されている。防漏シート３３の固定後端部４１は、後胴周り域２３に位置し、横方向内側へ倒伏した状態で第２バンド４５の外面に接合されている。胴周り用弾性部材３１は、裏面シート２９を形成する不織布３５，３６の間に介在し、横方向へ所定の倍率に伸長させた状態で不織布３５，３６に接合されている。
【００３４】
両側部２５は、コア３０の側縁６５から横方向外方へ延びる表裏面シート２８，２９の側部６６，６７と防漏シート３３の固定側部３８とから形成されている。両側部２５では、表面シート２８の側部６６がコア３０の側縁６５から横方向外方へわずかに延び、側部６６からさらに横方向外方へ裏面シート２９の側部６７と防漏シート３３の固定側部３８とが延びている。両側部２５では、表裏面シート２８，２９の側部６６，６７と防漏シート３３の側部３８とが重なり合い、表裏面シート２８，２９の内面どうしが接合され、表裏面シート２８，２９の内外面と防漏シート３３の内面とが接合されている。脚周り用弾性部材３２は、裏面シート２９を形成する不織布３５，３６の間に介在し、縦方向へ所定の倍率に伸長させた状態でそれら不織布３５，３６に接合されている。
【００３５】
後胴周り域２３の両側部２５には、プラスチックフィルムから形成された可撓性のテープファスナ６８が取り付けられている。テープファスナ６８は、横方向へ延びる固定端部６９と自由端部７０とを有する。固定端部７０は、裏面シート２９の側部６７と防漏シート３３の固定側部３８との間に介在し、それらシート２９，３３の内面に接合されている。自由端部７０の内面には、複数のフックを有する雄型メカニカルファスナ７１が取り付けられている。なお、自由端部７０には、メカニカルファスナ７１ではなく、粘着剤が塗布されていてもよい。
【００３６】
前胴周り域２１には、テープファスナ６８の自由端部７０を着脱可能に止着する可撓性のターゲットテープ７２が取り付けられている。ターゲットテープ７２には、プラスチックフィルムとフィルムから突出する複数のループとから形成された雌型メカニカルファスナ７３が使用されている。ターゲットテープ７２は、裏面シート２９の外面に固定されている。テープファスナ６８の自由端部７０に粘着剤を塗布する場合は、ターゲットテープ７２にプラスチックフィルムが使用される。
【００３７】
図６，７は、前胴周り域２１の側から示す着用途中の物品２０の部分破断斜視図と、後胴周り域２３の側から示す着用途中の物品２０の部分破断斜視図とである。図８，９は、着用状態にあるときの可動部３９の頂点４２ａ，４２ｂの位置を示す模式図である。図８は着用者の股間部を下方から見た図であり、図９は着用者を臀部の側から見た図である。この物品２０を着用する手順の一例は、以下のとおりである。股下域２２の肌当接面２６に着用者の臀部を乗せ、股下域２２を折り曲げて前胴周り域２１を着用者の腹部の上に乗せる。次に、後胴周り域２３の両側部２５が着用者の腹部の上に位置するように、後胴周り域２３の両側部２５を前胴周り域２１の両側部２５の外側に重ね合わせ、テープファスナ６８の自由端部７０をターゲットテープ７２に止着し、前胴周り域２１と後胴周り域２３とを連結する。前後胴周り域２１，２３が連結された物品２０には、胴周り開口と一対の脚周り開口とが形成される（図示せず）。
【００３８】
物品２０では、第１バンド４４から縦方向後方へ延びる防漏シート３３の可動部３９の頂点４２ｂ（第２頂点）が着用者の股間部の付け根に近接または当接するとともに、着用者の臀部の割れ目に入って肛門の両側に近接または当接する。物品２０では、その着用中に排泄された大便が可動部３９の頂点４２ｂ間を通って大便収容空間６０とポケット６１とに納まり、可動部３９と第２バンド４５の自由中間部５９とが大便をその上方から包被する。可動部３９の頂点４２ａ（第１頂点）間に排泄された尿は、表面シート２８を透過してコア３０に吸収保持される。
【００３９】
物品２０は、可動部３９の頂点４２ｂどうしの離間寸法が第１バンド４４から後胴周り域２３に向かうにつれて次第に小さくなっているから、第１バンド４４から縦方向後方へ延びる防漏シート３３の可動部３９と第２バンド４５の自由中間部５９とが排泄された大便をその上方から確実に包被する。物品２０は、大便が大便収容空間６０とポケット６１とに閉じ込められ、大便が可動部３９の間から露出することはないから、排泄された大便が着用者の股間部や臀部に接触することはなく、股間部や臀部に対する大便の付着を防ぐことができ、大便による着用者の肌の汚れを防ぐことができる。物品２０は、尿や大便の横方向への流動が防漏シート３３の可動部３９によって阻止され、両側部２５からの尿や大便の漏れを防ぐことができ、大便の縦方向への流動が第２バンド４５の自由中間部５９によって阻止され、後胴周り域２３からの大便の漏れを防ぐことができる。
【００４０】
物品２０は、横方向へ弾性的な伸縮性を有する第１および第２バンド４４，４５が防漏シート３３の可動部３９に収縮可能に取り付けられているから、物品２０の着用中に着用者の動作によって可動部３９が横方向へ動こうとしても、第１および第２バンド４４，４５の収縮力が可動部３９の頂点４２ｂどうしを股下域２２の横方向中央に常に位置させるように作用し、可動部３９の動きがそれらバンド４４，４５の収縮力によって抑制される。物品２０は、その着用中に第１バンド４４から縦方向後方へ延びる防漏シート３３の可動部３９がずれ動くことはなく、股間部の付け根や肛門の両側に対する可動部３９の頂点４２ｂの近接または当接状態を維持することができるので、排泄された大便が可動部３９の頂点４２ｂ間を通って大便収容空間６０とポケット６１とに確実に収容される。
【００４１】
物品２０では、可動部３９の頂点４２ａ（第１頂点）どうしの最大離間寸法Ｌ１が可動部３９の頂点４２ｂ（第２頂点）どうしの最大離間寸法Ｌ２よりも大きく、頂点４２ａの間から露出する表面シート２８の外面（肌当接面２６）の露出面積が頂点４２ｂの間から露出する表面シート２８の外面（肌当接面２６）の露出面積よりも大きい。物品２０では、頂点４２ａどうしの最大離間寸法Ｌ１が股下域２２に延びるコア３０の両側縁６５間の最小横寸法Ｌ３の２６〜１２０％の範囲、好ましくは５０〜１２０％の範囲、より好ましくは７５〜１１０％の範囲にある。頂点４２ａどうしの最大離間寸法Ｌ１がコア３０の最小横寸法Ｌ３の２６％未満では、頂点４２ａどうしの離間寸法が不十分となり、尿が可動部３９の外側に排泄されてしまう場合がある。
【００４２】
物品２０では、可動部３９の頂点４２ｂどうしの最大離間寸法Ｌ２が股下域２２に延びるコア３０の両側縁６５間の最小横寸法Ｌ３の１〜２５％の範囲、好ましくは４〜２０％の範囲にある。頂点４２ｂどうしの最大離間寸法Ｌ２がコア３０の最小横寸法Ｌ３の２５％を超過すると、可動部３９が排泄された大便をその上方から十分に包被することができず、大便が可動部３９の間から露出し、大便が着用者の股間部や臀部に付着して着用者の肌が広範囲に汚れてしまう場合がある。頂点４２ｂどうしの最大離間寸法Ｌ２がコア３０の最小横寸法Ｌ３の１％未満では、排泄された大便が頂点４２ｂどうしの間を通り難く、大便が可動部３９の外側に排泄されてしまう場合がある。
【００４３】
なお、物品２０が子供用の場合では、股下域２２に延びるコア３０の最小横寸法Ｌ３が概ね５〜９ｃｍの範囲にあり、頂点４２ａどうしの最大離間寸法Ｌ１が１．３０〜１０．８０ｃｍ、好ましくは２．５０〜１０．８０ｃｍ、より好ましくは３．７５〜９．９０ｃｍとなり、頂点４２ｂどうしの最大離間寸法Ｌ２が０．０５〜２．２５ｃｍ、好ましくは０．２０〜１．８０ｃｍとなる。また、物品２０が大人用の場合では、股下域２２に延びるコア３０の最小横寸法Ｌ３が概ね１２〜２５ｃｍの範囲にあり、頂点４２ａどうしの最大離間寸法Ｌ１が３．１２〜３０．００ｃｍ、好ましくは６．００〜３０．００ｃｍ、より好ましくは９．００〜２７．５０ｃｍとなり、頂点４２ｂどうしの最大離間寸法Ｌ２が０．１２〜６．２５ｃｍ、好ましくは０．４８〜５．００ｃｍとなる。
【００４４】
図１０，１１は、他の一例として示す着用物品８０の部分破断斜視図である。図１０は物品８０を前胴周り域８１の側から示し、図１１は、物品８０を後胴周り域８３の側から示す。図１２は、前後胴周り域８１，８３の連結を解除した状態で示す図１０の物品８０の展開斜視図である。それら図では、横方向を矢印Ｌで示し、縦方向を矢印Ｍで示す。なお、表面シート９７や第１および第２裏面シート８８，９８、防漏シート１０２の内面とは、コア９９に対向する面をいい、それらシート８８，９７，９８，１０２の外面とは、コア９９に非対向の面をいう。
【００４５】
物品８０は、前胴周り域８１および後胴周り域８３と、それら胴周り域８１，８３の間に位置する股下域８２とを有し、前後胴周り域８１，８３に横方向へ延びる両端部８４と、前後胴周り域８１，８３間に縦方向へ延びる両側部８５とを有する。物品８０は、着用者の肌に対向する肌当接面８６と、着用者の肌に非対向の肌非当接面８７とを有する。物品８０は、前後胴周り域８１，８３および股下域８２を画成してその全体形状を形作る不透液性第１裏面シート８８と、裏面シート８８の内面に取り付けられた積層パネル８９とから形成されている。股下域８２の両側部８５は、横方向内方へ向かって弧を画いている。物品８０は、図１２に示すように、その平面形状が砂時計型である。物品８０では、前後胴周り域８１，８３の両側部８５が合掌状に重なり合い、両側部８５が縦方向へ並ぶ複数の熱融着線９０を介して固定されている。物品８０は、図１０，１１に示すように、前後胴周り域８１，８３が連結されたパンツ型であり、胴周り開口９１と一対の脚周り開口９２とを有する。
【００４６】
裏面シート８８には、互いに重なり合う２枚の疎水性繊維不織布９３，９４をラミネートした複合不織布が使用されている。両端部８４には、横方向へ延びる複数条の胴周り用弾性部材９５が伸縮可能に取り付けられている。胴周り用弾性部材８５は、不織布９３，９４の間に介在し、横方向へ所定の倍率に伸長させた状態でそれら不織布９３，９４に接合されている。両側部８５には、縦方向へ延びる複数条の脚周り用弾性部材９６が伸縮可能に取り付けられている。脚周り用弾性部材９６は、不織布９３，９４の間に介在し、縦方向へ所定の倍率に伸長させた状態でそれら不織布９３，９４に接合されている。
【００４７】
パネル８９は、肌当接側に位置する透液性表面シート９７と、肌非当接側に位置する不透液性第２裏面シート９８と、表裏面シート９７，９８の間（肌当接面８６と肌非当接面８７との間）に介在して前後胴周り域８１，８３および股下域８２に配置された吸液性コア９９とから形成されている（図１３参照）。パネル８９は、その平面形状が略矩形であり、前後胴周り域８１，８３間に延びている。パネル８９は、前後胴周り域８１，８３に位置して横方向へ延びる両端部１００と、両側部８５に位置して縦方向へ延びる両側部１０１とを有する。パネル８９では、それを形成する第２裏面シート９８の外面が第１裏面シート８８の内面に固定されている。パネル８９の両側部１０１（物品８０の両側部８５）には、横方向へ離間対向して前後胴周り域８１，８３間に延びる一対の液抵抗性防漏シート１０２が取り付けられている。
【００４８】
表面シート９７には、親水性繊維不織布１０３が使用されている。裏面シート９８には、シリカやアルミナ等の無機物微細粒子を含有する通気不透液性の延伸プラスチックフィルム１０４が使用されている。コア９９は、図１の物品８０のコア３０と同一の混合物であり、全体がティッシュペーパー（図示せず）に包被されている。コア９９は、ティッシュペーパーを介して表裏面シート９７，９８の内面に接合されている。物品８０では、パネル８９の周縁から延出する裏面シート８８の内面と表面シート９７の外面と防漏シート１０２の外面とが肌当接面８６を形成し、裏面シート８８の外面が肌非当接面８７を形成している。
【００４９】
防漏シート１０２には、疎水性繊維不織布１０５が使用されている。防漏シート１０２は、両側部１０１に位置して縦方向へ延びる固定側部１０６と、固定側部１０６に並行して縦方向へ延びていて表面シート９７の上方へ起立性向を有する伸縮性可動部１０７と、可動部１０７の縦方向両側に位置する固定前後端部１０８，１０９とから形成されている。可動部１０７の頂点１１０には、縦方向へ延びる伸縮性弾性部材１１１が伸縮可能に取り付けられている。弾性部材１１１は、縦方向へ所定の倍率に伸長させた状態で可動部１０７の頂点１１０に接合されている。固定前端部１０８は物品８０の横方向外方へ倒伏し、固定後端部１０９は物品８０の横方向内方へ倒伏している。防漏シート１０２には、可動部１０７どうしを横方向へ引き寄せる帯状の第１バンド１１２と矩形の第２バンド１１３とが伸縮可能に取り付けられている。防漏シート１０２では、物品８０が肌当接面８６を内側にして縦方向へ湾曲すると、弾性部材１１１が収縮して可動部１０７が表面シート９７の外面（物品８０の肌当接面８６）から上方へ起立し、可動部１０７が尿や大便の横方向への流動を阻止する障壁を形成する。可動部１０７の起立始点は、コア９９の後記する側縁１３３の内側近傍であってコア９９上にある。
【００５０】
第１バンド１１２は、互いに離間対向する防漏シート１０２の可動部１０７の間に位置して横方向へ延びている。第１バンド１１２は、股下域８２の縦寸法を二等分して股下域８２を前胴周り域８１の側に位置する前半分１１４と後胴周り域８３の側に位置する後半分１１５とに区画したときの該前半分１１４であって、さらに、前半分１１４の縦寸法を二等分して該前半分１１４を前胴周り域８１の側に位置する第１前半分１１６と後半分１１５の側に位置する第２前半分１１７とに区画したときの該第２前半分１１７に配置されている。すなわち、第１バンド１１２は、股下域８２の縦寸法を四等分して股下域８２を前胴周り域８１の側から後胴周り域８３の側に向かって並ぶ第１部位（第１前半分１１６に相当）〜第４部位（後記する第２後半分１２３に相当）に区画したときの該第２部位（第２前半分１１７に相当）に配置されている。
【００５１】
第１バンド１１２は、疎水性または親水性の繊維不織布１１８と、不織布１１８に伸縮可能に取り付けられた複数条の伸縮性弾性部材１１９とから形成されている。弾性部材１１９は、可動部１０７の間に位置して横方向へ延びている。弾性部材１１９は、横方向へ所定の倍率に伸長させた状態で不織布１１８に接合されている。ゆえに、第１バンド１１２は、横方向へ弾性的な伸縮性を有する。バンド１１２は、可動部１０７の頂点１１０近傍に接合された固定両端部１２０と、固定両端部１２０の間に延びていて表面シート９７や防漏シート１０２に非接合の自由中間部１２１とを有する（図１４参照）。可動部１０７に対する固定両端部１２０の接合時では、第１バンド１１２を横方向へ所定の倍率に伸長させた状態にある。
【００５２】
第２バンド１１３は、互いに離間対向する防漏シート１０２の可動部１０７の間と固定後端部１０９の間とに位置して横方向へ延びている。第２バンド１１３は、股下域８２の後半分１１５の縦寸法を二等分して該後半分１１５を前半分１１４の側に位置する第１後半分１２２と後胴周り域８３の側に位置する第２後半分１２３とに区画したときの該第２後半分１２３に配置されている。すなわち、第２バンド１１３は、股下域８２の縦寸法を四等分して股下域８２を前胴周り域８１の側から後胴周り域８３の側に向かって並ぶ第１部位（第１前半分１１６）〜第４部位（第２後半分１２３）に区画したときの該第４部位に配置されている。
【００５３】
第２バンド１１３は、疎水性または親水性の繊維不織布１２４と、不織布１２４に伸縮可能に取り付けられた複数条の伸縮性弾性部材１２５とから形成されている。弾性部材１２５は、可動部１０７の間に位置して横方向へ延びている。弾性部材１２５は、横方向へ所定の倍率に伸長させた状態で不織布１２４に接合されている。ゆえに、第２バンド１１３は、可動部１０７の間に位置する部分が横方向へ弾性的な伸縮性を有する。バンド１１３は、固定側部１０６および可動部１０７に接合された固定両端部１２６と、固定両端部１２５の間に延びていて表面シート９７や防漏シート１０２に非接合の自由中間部１２７とを有する。可動部１０７に対する固定両端部１２６の接合時では、第２バンド１１３を横方向へ所定の倍率に伸長させた状態にある。固定後端部１０９の間に延びる第２バンド１１３の部分は、表面シート９７の外面と防漏シート１０２の内面とに接合されている。
【００５４】
第１バンド１１２から縦方向前方へ延びる可動部１０７の頂点１１０ａ（第１頂点）どうしは、横方向へ所定寸法離間するとともに、それらの離間寸法が第１バンド１１２から前胴周り域８１に向かうにつれて次第に大きくなっている。第１バンド１１２から縦方向後方へ延びる可動部１０７の頂点１１０ｂ（第２頂点）どうしは、横方向へ所定寸法離間するとともに、第１バンド１１２から後胴周り域８３に向かって略平行して延びている。
【００５５】
図１３，１４は、股下域８２の一部を省略して示す図１２の１３−１３線矢視断面図と、図１２の１４−１４線端面図とであり、図１５，１６は、図１２の１５−１５線端面図と、図１２の１６−１６線端面図とである。第１バンド１１２から縦方向後方へ延びる防漏シート１０２の可動部１０７と表面シート９７との間には、物品８０の着用中に排泄された大便が納まる大便収容空間１２８が形成されている。表面シート９７と第２バンド１１３との間には、後胴周り域８３から股下域８２の縦方向中央に向かって口を開けるポケット１２９が形成されている。
【００５６】
パネル８９の両端部１００は、コア９９の端縁１３０から縦方向外方へ延びる表裏面シート９７，９８の端部１３１，１３２と防漏シート１０２の端部１０８，１０９とから形成されている。両端部１００では、表裏面シート９７，９８の端部１３１，１３２が互いに重なり合った状態で、それらシート９７，９８の内面どうしが接合されている。両端部１００には、両端部８４で折り曲げられた不織布９４が接合されている。防漏シート１０２の固定前端部１０８は、パネル８９の端部１００（物品８０の前胴周り域８１）に位置し、物品８０の横方向外側へ倒伏した状態で固定側部１０６に接合されている。防漏シート１０２の固定後端部１０９は、パネル８９の端部１００（物品８０の後胴周り域８３）に位置し、物品８０の横方向内側へ倒伏した状態で第２バンド１１３に接合されている。
【００５７】
パネル８９の両側部１０１は、コア９９の側縁１３３から横方向外方へ延びる表裏面シート９７，９８の側部１３４，１３５と防漏シート１０２の固定側部１０６とから形成されている。両側部１０１では、表裏面シート９７，９８の側部１３４，１３５と防漏シート１０２の固定側部１０６とが互いに重なり合った状態で、表裏面シート９７，９８の内面どうしが接合され、表面シート９７の外面と防漏シート１０２の内面とが接合されている。防漏シート１０２の固定側部１０６のうちのパネル８９の側部１０１から横方向外方へ延長された部分は、側部１０１において横方向内方へ折り曲げられ、第１裏面シート８８と第２裏面シート９８との間に介在してそれらシート８８，９８の内外面に接合されている。
【００５８】
物品８０を着用するには、胴周り開口９１から脚周り開口９２へ両脚を通した後、物品８０を着用者の胴部に引き上げる。物品８０では、頂点４２ａ，４２ｂの位置を示す図８，９と同様に、第１バンド１１２から縦方向後方へ延びる防漏シート１０２の可動部１０７の頂点１１０ｂが着用者の股間部の付け根に近接または当接するとともに、着用者の臀部の割れ目に入って肛門の両側に近接または当接する。物品８０では、その着用中に排泄された大便が可動部１０７の頂点１１０ｂ間を通って大便収容空間１２８とポケット１２９とに納まり、可動部１０７と第２バンド１１３の自由中間部１２７とが大便をその上方から包被する。可動部１０７の頂点１１０ａ間に排泄された尿は、表面シート９７を透過してコア９９に吸収保持される。
【００５９】
物品８０は、第１バンド１１２から縦方向後方へ延びる防漏シート１０２の可動部１０７と第２バンド１１３の自由中間部１２７とが排泄された大便をその上方から包被し、大便が大便収容空間１２８とポケット１２９とに閉じ込められるから、大便が可動部１０７の間から露出することはない。物品８０は、排泄された大便が着用者の股間部や臀部に接触することはなく、股間部や臀部に対する大便の付着を防ぐことができ、大便による着用者の肌の汚れを防ぐことができる。物品８０は、尿や大便の横方向への流動が防漏シート１０２の可動部１０７によって阻止され、両側部１０１からの尿や大便の漏れを防ぐことができ、大便の縦方向への流動が第２バンド１１３の自由中間部１２７によって阻止され、後胴周り域８３からの大便の漏れを防ぐことができる。
【００６０】
物品８０は、横方向へ弾性的な伸縮性を有する第１および第２バンド１１２，１１３が防漏シート１０２の可動部１０７に収縮可能に取り付けられているから、物品８０の着用中に着用者の動作によって防漏シート１０２の可動部１０７が横方向へ動こうとしても、第１および第２バンド１１２，１１３の収縮力が可動部１０７の頂点１１０ｂどうしを股下域８２の横方向中央に常に位置させるように作用し、可動部１０７の動きがそれらバンド１１２，１１３の収縮力によって抑制される。物品８０は、その着用中に第１バンド１１２から縦方向後方へ延びる防漏シート１０２の可動部１０７がずれ動くことはなく、股間部の付け根や肛門の両側に対する可動部１０７の頂点１１０ｂの近接または当接状態を維持することができるので、排泄された大便が可動部１０７の頂点１１０ｂ間を通って大便収容空間１２８とポケット１２９とに確実に収容される。
【００６１】
物品８０は、その着用中に着用者の動作が第１裏面シート８８に伝わり、シート８８が捩れたとしても、シート８８よりも高い剛性のコア９９が捩れることはなく、起立始点がコア９９の側縁１３３の内側にある可動部１０７が動くことはない。物品８０は、その着用中に第１バンド１１２から縦方向後方へ延びる可動部１０７が動くことはなく、可動部１０７の頂点１１０ｂどうしの離間寸法が変化することはないから、排泄された大便が可動部１０７の頂点１１０ｂ間を通って大便収容空間１２８とポケット１２９とに確実に収容される。
【００６２】
物品８０では、可動部１０７の頂点１１０ａ（第１頂点）どうしの最大離間寸法Ｌ１が可動部１０７の頂点１１０ｂ（第２頂点）どうしの最大離間寸法Ｌ２よりも大きく、頂点１１０ａの間から露出する表面シート９８の外面（肌当接面８６）の露出面積が頂点１１０ｂの間から露出する表面シート９８の外面（肌当接面８６）の露出面積よりも大きい。物品８０では、可動部１０７の頂点１１０ａどうしの最大離間寸法Ｌ１が股下域８２に延びるコア９９の両側縁１３３間の最小横寸法Ｌ３の２６〜１２０％の範囲、好ましくは５０〜１２０％の範囲、より好ましくは７５〜１１０％の範囲にある。頂点１１０ａどうしの最大離間寸法Ｌ１がコア９９の最小横寸法Ｌ３の２６％未満では、頂点１１０ａどうしの離間寸法が不十分となり、尿が可動部１０７の外側に排泄されてしまう場合がある。
【００６３】
物品８０では、可動部１０７の頂点１１０ｂどうしの最大離間寸法Ｌ２が股下域８２に延びるコア９９の両側縁１３３間の最小横寸法Ｌ３の１〜２５％の範囲、好ましくは４〜２０％の範囲にある。頂点１１０ｂどうしの最大離間寸法Ｌ２がコア９９の最小横寸法Ｌ３の２５％を超過すると、可動部１０７が排泄された大便をその上方から十分に包被することができず、大便が可動部１０７の間から露出し、大便が着用者の股間部や臀部に付着して着用者の肌が広範囲に汚れてしまう場合がある。頂点１１０ｂどうしの最大離間寸法Ｌ２がコア９９の最小横寸法Ｌ３の１％未満では、排泄された大便が頂点１１０ｂどうしの間を通り難く、大便が可動部１０７の外側に排泄されてしまう場合がある。
【００６４】
なお、物品８０が子供用の場合では、股下域８２に延びるコア９９の最小横寸法Ｌ３が概ね５〜９ｃｍの範囲にあり、頂点１１０ａどうしの最大離間寸法Ｌ１が１．３０〜１０．８０ｃｍ、好ましくは２．５０〜１０．８０ｃｍ、より好ましくは３．７５〜９．９０ｃｍとなり、頂点１１０ｂどうしの最大離間寸法Ｌ２が０．０５〜２．２５ｃｍ、好ましくは０．２０〜１．８０ｃｍとなる。また、物品８０が大人用の場合では、股下域８２に延びるコア９９の最小横寸法Ｌ３が概ね１２〜２５ｃｍの範囲にあり、頂点１１０ａどうしの最大離間寸法Ｌ１が３．１２〜３０．００ｃｍ、好ましくは６．００〜３０．００ｃｍ、より好ましくは９．００〜２７．５０ｃｍとなり、頂点１１０ｂどうしの最大離間寸法Ｌ２が０．１２〜６．２５ｃｍ、好ましくは０．４８〜５．００ｃｍとなる。
【００６５】
図１７は、第１バンド１１２の他の実施態様を示す図１２と同様の端面図である。図１７では、第１バンド１１２がその固定両端部１２０から横方向外方へ延びる一対の脚部１３６を有し、脚部１３６が大便収容空間１２８を通って可動部１０７から表面シート９７の外面に達している。脚部１３６は、その大部分が表面シート９７や防漏シート１０２に非接合であり、その先端部分が表面シート９７の外面に接合されている。図１７の態様の物品８０では、排泄された大便が第１バンド１１２から縦方向前方へ流動しようとしても、大便が第１バンド１１２の脚部１３６に引っ掛かるので、脚部によって大便の縦方向への流動が抑制される。
【００６６】
表面シート２８，９７には、親水性繊維不織布の他に、多数の開孔を有する疎水性繊維不織布を使用することができる。裏面シート２９，８８，９８や防漏シート３３，１０２には、通気不透液性プラスチックフィルムを使用することもでき、通気不透液性プラスチックフィルムと疎水性繊維不織布とをラミネートした複合シートを使用することもできる。裏面シート２９，８８，９８や防漏シート３３，１０２には、高い耐水性を有するメルトブローン法による繊維不織布の少なくとも片面に、高い強度と良好な柔軟性とを有するスパンボンド法による繊維不織布をラミネートした複合不織布（ＳＭ不織布、ＳＭＳ不織布）を使用することもできる。第１および第２バンド４４，４５，１１２，１１３には、熱可塑性エラストマー樹脂を溶融、紡糸して作られる伸縮性繊維から形成された伸縮性繊維不織布を使用することもできる。バンド４４，４５，１１２，１１３には、伸縮性繊維不織布の少なくとも片面に捲縮繊維から形成された親水性繊維不織布を重ね合わせた複合不織布を使用することもできる。
【００６７】
繊維不織布には、スパンレース、ニードルパンチ、メルトブローン、サーマルボンド、スパンポンド、ケミカルボンドの各製法により製造された不織布を使用することができる。親水性繊維不織布は、親水化処理が施された合成繊維、半合成繊維、再生繊維のうちのいずれか、または、それら繊維を混合した複合繊維から作ることができる。疎水性繊維不織布は、合成繊維から作ることができる。疎水性繊維不織布には、撥水処理が施された半合成繊維や再生繊維が含まれていてもよい。合成繊維には、特に限定はないが、ポリエステル系、ポリアクリロニトリル系、ポリ塩化ビニル系、ポリエチレン系、ポリプロピレン系、ポリスチレン系を使用することができる。合成繊維には、芯鞘型複合繊維、並列型複合繊維、異型中空繊維、微多孔繊維、接合型複合繊維を使用することもできる。
【００６８】
シート２８，２９，３３，８８，９７，９８，１０２どうしの接合やシート２８，２９，９７，９８に対するコア３０，９９の接合、シート３３，１０２や不織布３４，３５，５０，５６，９３，９４，１１８，１２４に対する弾性部材３１，３２，５１，５８，９５，９６，１１９，１２５の接合、シート２８，３３，９７，１０２に対するバンド４４，４５，１１２，１１３の接合には、接着剤を使用することができる。接着剤は、シート２８，２９，３３，８８，９７，９８，１０２や不織布３４，３５，５０，５６，９３，９４，１１８，１２４にスパイラル状や波状、ジグザグ状、ドット状、縞状のうちのいずれかの態様で塗布されていることが好ましい。接着剤をそれらの態様でシート２８，２９，３３，８８，９７，９８，１０２や不織布３４，３５，５０，５６，９３，９４，１１８，１２４に塗布すると、それらシート２８，２９，３３，８８，９７，９８，１０２どうしが断続的に接合され、コア３０，９９がシート２８，２９，９７，９８に断続的に接合されるとともに、弾性部材３１，３２，５１，５８，９５，９６，１１９，１２５がシート３３，１０２や不織布３４，３５，５０，５６，９３，９４，１１８，１２４に断続的に固着される。接着剤には、ホットメルト型接着剤やアクリル系接着剤、ゴム系接着剤のいずれかを使用することができる。
【図面の簡単な説明】
【００６９】
【図１】一例として示す着用物品の斜視図。
【図２】後胴周り域の側から示す物品の部分破断斜視図。
【図３】図１の３−３線端面図。
【図４】図１の４−４線端面図。
【図５】図１の５−５線端面図。
【図６】前胴周り域の側から示す着用途中の物品の部分破断斜視図。
【図７】後胴周り域の側から示す着用途中の物品の部分破断斜視図。
【図８】着用状態にあるときの可動部の頂点の位置を示す模式図。
【図９】着用状態にあるときの可動部の頂点の位置を示す模式図。
【図１０】他の一例として示す着用物品の部分破断斜視図。
【図１１】他の一例として示す着用物品の部分破断斜視図。
【図１２】図１０の物品の展開斜視図。
【図１３】股下域の一部を省略して示す図１２の１３−１３線矢視断面図。
【図１４】図１２の１４−１４線端面図。
【図１５】図１２の１５−１５線端面図。
【図１６】図１２の１６−１６線端面図。
【図１７】第１バンドの他の実施態様を示す図１２と同様の端面図。
【符号の説明】
【００７０】
２０    使い捨て着用物品
２１    前胴周り域
２２    股下域
２３    後胴周り域
２４    両端部
２５    両側部
２６    肌当接面
２７    肌非当接面
２８    不透液性裏面シート
２９    透液性表面シート
３０    吸液性コア
３３    液抵抗性防漏シート
３８    固定側部
３９    伸縮性可動部
４０    固定前端部
４１    固定後端部
４２    頂点
４２ａ    頂点（第１頂点）
４２ｂ    頂点（第２頂点）
４３    伸縮性弾性部材
４４    第１バンド
４５    第２バンド
４６    前半分
４７    後半分
４８    第１前半分
４９    第２前半分
５１    伸縮性弾性部材
５２    固定両端部
５３    自由中間部
５４    第１後半分
５５    第２後半分
５７    伸縮性弾性部材
５８    固定両端部
５９    自由中間部
６０    大便収容空間
６１    ポケット
８０    使い捨て着用物品
８１    前胴周り域
８２    股下域
８３    後胴周り域
８４    両端部
８５    両側部
８６    肌当接面
８７    肌非当接面
８８    不透液性第２裏面シート
８９    積層パネル
９７    透液性表面シート
９８    不透液性裏面シート
９９    吸液性コア
１０２    液抵抗性防漏シート
１０６    固定側部
１０７    伸縮性可動部
１０８    固定前端部
１０９    固定後端部
１１０    頂点
１１０ａ    頂点（第１頂点）
１１０ｂ    頂点（第２頂点）
１１１    伸縮性弾性部材
１１２    第１バンド
１１３    第２バンド
１１４    前半分
１１５    後半分
１１６    第１前半分
１１７    第２前半分
１１９    伸縮性弾性部材
１２０    固定両端部
１２１    自由中間部
１２２    第１後半分
１２３    第２後半分
１２５    伸縮性弾性部材
１２６    固定両端部
１２７    自由中間部
１２８    大便収容空間
１２９    ポケット
Ｌ１    最大離間寸法
Ｌ２    最大離間寸法
Ｌ３    最小横寸法
【図１】
2006174966.tif 000003
【図２】
2006174966.tif 000004
【図３】
2006174966.tif 000005
【図４】
2006174966.tif 000006
【図５】
2006174966.tif 000007
【図６】
2006174966.tif 000008
【図７】
2006174966.tif 000009
【図８】
2006174966.tif 000010
【図９】
2006174966.tif 000011
【図１０】
2006174966.tif 000012
【図１１】
2006174966.tif 000013
【図１２】
2006174966.tif 000014
【図１３】
2006174966.tif 000015
【図１４】
2006174966.tif 000016
【図１５】
2006174966.tif 000017
【図１６】
2006174966.tif 000018
【図１７】
2006174966.tif 000019